(57)【要約】【課題】従来の情報処理装置に設けられた表示機能を兼ね備えた座標入力装置（補助表示入力装置）では、補助表示入力装置上で各種機能を実現することが可能であった。しかしながら、補助表示入力装置上で扱える機能は予め用意されたものしか使えず不便であった。また、情報処理装置で扱うアプリケーションプログラムの操作画面に対応してダイレクトに補助表示入力装置で操作する機能を有したものがなかった。【解決手段】本発明によれば、補助表示入力装置で扱うことのできる各種機能をユーザの操作により追加・削除する処理を実現したので、ユーザにとって補助表示入力装置を有効に利用可能となる。また、情報処理装置で扱うアプリケーションプログラムの操作画面に対応したダイレクトに補助表示入力装置で操作する処理を実現したので、アプリケーションプログラム使用時の操作性が向上する。【選択図】　　　図１
2004070379.tif 000002
【特許請求の範囲】
【請求項１】
データを表示するための第１の表示手段と、データを入力するための第１の入力手段とを有した情報処理装置であって、
データを表示するための第２の表示手段の表示面及びデータを入力するための第２の入力手段の入力面が重なるように積層された補助表示入力手段と、
前記補助表示入力手段を用いて動作させる機能の追加及び削除を前記第１又は第２の入力手段を用いて設定する設定手段と、
前記設定手段で設定した追加及び削除した機能に関する設定情報を記憶手段に記憶する更新手段と、
前記補助表示入力手段を用いた機能を使用するための操作が行われた際には、前記記憶手段に記憶した設定内容に基づき前記第２の表示手段の表示内容及び前記第２の入力手段の入力状態を制御する制御手段と
を具備したことを特徴とする情報処理装置。
【請求項２】
前記設定手段は、前記第１の表示手段に設定用の画面を表示し、この設定用画面には機能実行に必要な機能ファイル、機能名、アイコンファイル、アイコン配置に関する各情報を設定するための項目が用意されていることを特徴とする請求項１記載の情報処理装置。
【請求項３】
前記設定手段は、機能アイコンが表示される前記第１の表示手段のデスクトップ画面と、機能設定用の画面との間で、前記機能アイコンを移動させることで、前記補助表示入力装置で動作させる機能の追加及び削除を行うように構成したことを特徴とする請求項１記載の情報処理装置。
【請求項４】
データを表示するための第１の表示手段と、データを入力するための第１の入力手段と、データを表示するための第２の表示手段の表示面及びデータを入力するための第２の入力手段の入力面が重なるように積層された補助表示入力手段とを備えた情報処理装置における機能制御方法であって、
前記補助表示入力手段を用いて動作させる機能の追加及び削除を前記第１又は第２の入力手段を用いて設定し、
前記設定した追加及び削除した機能に関する設定情報を記憶手段に記憶させ、前記補助表示入力手段を用いた機能を使用するための操作が行われた際には、前記記憶手段に記憶した設定内容に基づき前記第２の表示手段の表示内容及び前記第２の入力手段の入力状態を制御するようにした
ことを特徴とする情報処理装置における機能制御方法。
【請求項５】
前記設定動作において、前記第１の表示手段に設定用の画面を表示し、この設定用画面には機能実行に必要なを動作させるための機能ファイル、機能名、アイコンファイル、アイコン配置に関する各情報を設定するための項目に基づき設定することを特徴とする請求項４記載の情報処理装置における機能制御方法。
【請求項６】
前記設定動作において、機能アイコンが表示される前記第１の表示手段のデスクトップ画面と、機能設定用の画面との間で、前記機能アイコンを移動させることで、前記補助表示入力装置で動作させる機能の追加及び削除を行うようにしたことを特徴とする請求項４記載の情報処理装置における機能制御方法。
【請求項７】
データを表示するための第１の表示手段と、データを入力するための第１の入力手段とを有した情報処理装置であって、
データを表示するための第２の表示手段の表示面及びデータを入力するための第２の入力手段の入力面が重なるように積層された補助表示入力手段と、
前記情報処理装置で動作させるアプリケーションプログラムの操作画面の起動条件と、それに対応した前記補助表示入力手段での実行内容を記憶した第２の記憶手段と、
前記アプリケーションプログラム実行し所定の起動条件になったかを判別し、起動条件を満足する場合には前記第２の記憶手段を参照して、前記補助表示入力手段の第２の表示手段及び第２の入力手段を前記実行内容に基づく内容に切り替える切り替え手段と
を具備したことを特徴とする情報処理装置。
【請求項８】
データを表示するための第１の表示手段と、データを入力するための第１の入力手段と、データを表示するための第２の表示手段の表示面及びデータを入力するための第２の入力手段の入力面が重なるように積層された補助表示入力手段とを備えた情報処理装置における機能制御方法であって、
前記アプリケーションプログラム実行し所定の起動条件になったかを判別し、起動条件を満足する場合には記憶手段に記憶された前記情報処理装置で動作させるアプリケーションプログラムの操作画面の起動条件及びそれに対応した前記補助表示入力手段での実行内容の関係を参照して、前記補助表示入力手段の第２の表示手段及び第２の入力手段を前記実行内容に基づく内容に切り替える前記補助表示入力手段での実行内容に切り替える
ことを特徴とした情報処理装置における機能制御方法。
【発明の詳細な説明】
【０００１】
【発明の属する技術分野】
本発明は、情報処理装置及び情報処理装置における機能制御方法に関し、特に表示手段の表示面及びデータを入力するための入力手段の入力面が重なるように積層された補助表示入力装置を用いた機能制御方式に関する。
【０００２】
【従来の技術】
情報処理装置の利用が益々増加しており、一般ユーザにとって操作しやすい装置の開発が望まれている。情報処理装置には、据え置き型のデスクトップタイプのパーソナルコンピュータや、携帯型のノートタイプのパーソナルコンピュータ及び携帯電話などの種々の機器が存在している。
【０００３】
これら情報処理装置へのポインティング手段としてはマウスやタッチパネル等の座標入力装置が存在する。近年になってタッチパネル面に表示用の液晶表示パネル重ね合わせたものも出てきている。これをノートタイプのパーソナルコンピュータ（以下、ノートＰＣ）に組み込んだ製品も登場している。このノートＰＣには、メインの大型の液晶表示パネルを備えており、タッチパネルと液晶表示パネルを兼ね備えた補助表示入力装置とを状況に応じて使い分けている。例えば、特開２０００−３３９０９７公報には、この種の補助表示入力装置の操作概要や、この装置を用いた操作方法について記述されている。ここでは、携帯型パーソナルコンピュータに設けられた機能キー１４の操作により、タッチパッド１１の後方に配置されたＬＣＤ５７にメニュー画面が表示され、メニュー画面から特定のボタンを選択して決定ボタン１１２を操作することによって所定の機能（例えばテンキー機能）に合わせた表示にＬＣＤ５６を切り替えて、その機能をタッチパッド１１を用いて実現する点の記述がある。
【０００４】
【発明が解決しようとする課題】
しかしながら前記従来の技術として説明した内容では、補助表示入力装置に対して操作を行う機能は予めシステム側で用意されたものしか利用できず、ユーザが必要としない機能があったり、逆に必要な機能が用意されていなかったりと、補助表示入力装置を使いこなしきれずにいた。また、従来の技術では、補助表示入力装置上で起動させる機能は情報処理装置とは独立に機能するものであり、特にアプリケーションプログラムの動作状況に連動して補助表示入力装置上の機能を変える点は検討されていなかった。
【０００５】
そこで、本発明では、補助表示入力装置上で利用できる機能をユーザが自由に設定でき、また、アプリケーションプログラムの動作状況に連動して補助表示入力装置上の機能を切り替えることのできる情報処理装置及び情報処理装置における機能制御方法を提供することを目的とする。
【０００６】
【課題を解決するための手段】
本発明の情報処理装置は、データを表示するための第１の表示手段と、データを入力するための第１の入力手段とを有した情報処理装置であって、データを表示するための第２の表示手段の表示面及びデータを入力するための第２の入力手段の入力面が重なるように積層された補助表示入力手段と、前記補助表示入力手段を用いて動作させる機能の追加及び削除を前記第１又は第２の入力手段を用いて設定する設定手段と、前記設定手段で設定した追加及び削除した機能に関する設定情報を記憶手段に記憶する更新手段と、前記補助表示入力手段を用いた機能を使用するための操作が行われた際には、前記記憶手段に記憶した設定内容に基づき前記第２の表示手段の表示内容及び前記第２の入力手段の入力状態を制御する制御手段とを具備したことを特徴とする。
【０００７】
この構成によれば、ユーザは容易に補助表示入力手段で用いる機能を追加・削除できるのでユーザにとって補助表示入力装置を有効に利用できる。
また、他の発明による情報処理装置は、データを表示するための第１の表示手段と、データを入力するための第１の入力手段とを有した情報処理装置であって、
データを表示するための第２の表示手段の表示面及びデータを入力するための第２の入力手段の入力面が重なるように積層された補助表示入力手段と、前記情報処理装置で動作させるアプリケーションプログラムの操作画面の起動条件と、それに対応した前記補助表示入力手段での実行内容を記憶した第２の記憶手段と、前記アプリケーションプログラム実行し所定の起動条件になったかを判別し、起動条件を満足する場合には前記第２の記憶手段を参照して、前記補助表示入力手段の第２の表示手段及び第２の入力手段を前記実行内容に基づく内容に切り替える切り替え手段とを具備したことを特徴とする。
【０００８】
このような構成を取ることにより、情報処理装置で扱うアプリケーションプログラムの操作画面に対応したダイレクトに補助表示入力装置で操作する処理を実現したので、アプリケーションプログラム使用時の操作性が向上する。
【０００９】
【発明の実施の形態】
以下、図面を参照して本発明の実施形態について説明する。
図１は、情報処理装置の一例としてノート型パーソナルコンピュータの外観構成を示す図である。情報処理装置１０は、本体１１部分と表示装置１２部分とから構成され、本体１１にはキーボード１３を有しており、また表示装置１２には液晶パネル１５を有している。本体１１と表示装置１２の一辺は図示しないヒンジで接続されており、このヒンジ機構により本体１１のキーボード入力面と表示装置１２の液晶パネル１５の表示面が開閉する構造となっている。主となる表示装置１２に対して、本体１１の手前部分には、小型の液晶パネルとタッチパネルを重ね合わせて一体化させた補助表示入力装置１４を設けている。
【００１０】
図２は、情報処理装置１０のシステム構成を示す図である。なお、図１と同一部分には同一符号を付して説明する。
図に示すようにシステムバス２１には、ＣＰＵ２２、ＢＩＯＳ（Ｂａｓｉｃ　Ｉｎｐｕｔ／Ｏｕｔｐｕｔ　Ｓｙｓｔｅｍ）ＲＯＭ２３、メインメモリ２４、ディスプレイコントローラ２５、キーボードコントローラ２６、ハードディスクコントローラ２８、ディスプレイコントローラ２７ａ、タッチパネルコントローラ２７ｂが接続されている。
【００１１】
ＣＰＵ２２は、ＢＩＯＳ　ＲＯＭ２３に格納されているＢＩＯＳプログラムおよびＨＤＤ２９に格納されるＯＳ、アプリケーションプログラムなどに従って、情報処理装置全体の制御を司るものである。ＢＩＯＳ　ＲＯＭ２３は、ＢＩＯＳプログラムを格納する。メインメモリ２４は、ＨＤＤ２９から読み出されるＯＳ、アプリケーションプログラムなどを展開して格納するものである。
【００１２】
ディスプレイコントローラ２５は、メインの表示装置である液晶パネル１５の表示制御を行うものである。キーボードコントローラ２６は、キーボード１３のキー制御を行うとともに、電源ボタン１６からのイベントをＣＰＵ２２へ通知する。ハードディスクコントローラ２８は、ＨＤＤ２９の読み出し・書き込みの制御を行うものである。ＨＤＤ２９の記憶エリア３０には、パーソナルコンピュータを制御するためのＯＳ、コンピュータの起動条件などの各種ＯＳ設定情報やアプリケーションプログラムなどが格納されている。
【００１３】
ディスプレイコントローラ２７ａは、補助表示入力装置１４で用いる液晶パネル１４ａの表示制御を行うものである。タッチパネルコントローラ２７ｂは、補助表示入力装置１４で用いるタッチパネル１４ｂ及び後述するボタンの入力制御を行うものである。
【００１４】
図３は、補助表示入力装置１４の概観構成を示す図である。１４ｆは、液晶パネル１４ａ及びタッチパネル１４ｂが積層一体化した部分であり、各種データの表示及びデータの入力を行うための表示入力エリアである。１４ｃ、１４ｄは、機能ボタンでありマウスの左右ボタンと同等の機能を有する。また１４ｅはホイールボタンであり、画面スクロール等に用いる。
【００１５】
図４は、補助表示入力装置１４を用いた各種機能を実行する際の操作手順の概略を説明するものである。特定の操作により図４（ａ）に示した機能モードの状態となる。表示入力エリア１４ｆには、各種機能を具現化したアイコン類３１が表示されている。３１ａは、所定機能のアイコンであり、また３１ｂは機能モード終了のためのアイコンである。図４（ｂ）に示すように、ユーザがタッチパネル上を指でなぞると、その指示位置にアイコンがある場合には、アイコンの表示形態が変化すると共に、当該アイコン周辺にアイコンが示す機能名称を表示する。この状態で、タッチパネル上をダブルクリック（パネル上を連続的に２回触れる）すると、当該選択状態にあるアイコンで示される機能が実行され、図４（ｃ）に示すように当該機能に合わせた機能表示に変化する。
【００１６】
図４の例では、図４（ｂ）の選択中のアイコンの近辺に当該アイコンの機能名称である「電卓」との表示が出て、更にこの状態で電卓機能を選択するためにダブルクリックすると図４（ｃ）の電卓機能表示となる。図４（ｃ）の状態で、対応するボタンを操作することで各種計算が行える。ここでは、機能の例として電卓機能を挙げたが、この他に手書きイメージを入力する手書きパッド機能や、メモを残すためのメモ機能等が用意されている。
【００１７】
続いて、図５乃至図７を用いて補助表示入力装置１４使用する機能の追加・削除の設定操作について説明する。
図５は、機能追加・削除用の設定ウインドウを示す図である。これら機能の追加・削除の設定は、補助表示入力装置用の管理プログラムを起動することにより実現できる。図５に示す機能設定用のウインドウ画面３２は、情報処理装置１０のメイン表示装置である液晶パネル１５に表示される。図５（ａ）は、機能追加用の設定ウインドウである。項目３２ａは、追加したい機能に関するプログラムファイル名を指定する部分で、ファイル名を覚えていない場合は参照ボタンを操作することで登録可能なプログラムファイル名の一覧を表示して選択することもできる。項目３２（ｂ）は、機能の名称を指定する部分で、任意の名称を記述することができる。項目３２（ｃ）は、アイコンイメージファイル名を指定する部分で、アイコンイメージファイル名を覚えていない場合は参照ボタンを操作して登録可能なアイコンイメージファイル名の一覧を表示して選択することもできる。項目３２ｄは、アイコンの配置を指定する部分で、液晶パネル１４ａの表示エリアに見立てたところに配置位置調整用のカーソル３２ｈを操作してユーザが任意の位置にアイコンを配置することができる。この図では、点線部分３２ｅは既に配置済みのアイコン配置場所を示し、実線部分３２ｆは現在設定中のアイコンの配置場所を示す。アイコンの配置位置に関する情報は、タッチパネル１４の座標検出範囲として用いられる。すなわち、液晶パネル１４ａに表示されたアイコン部分を選択指示することで、タッチパネルがその位置を検出して、どのアイコンが選択されたかが分かる。完了ボタン３２ｉは、機能設定が完了した際に操作するボタンであり、このボタンを操作することにより、ここで設定された内容がＨＤＤ２９の記憶エリア３０の特定位置に機能設定情報として記憶される。また、キャンセルボタン３２ｊは、機能設定の処理を中止するためのボタンである。
【００１８】
図６は、機能追加設定処理に関するフローチャートである。補助表示入力装置用の管理プログラムで機能追加設定が選択されたかを判断する（ステップＳ１０）。ここで、機能追加設定が選択された場合には、処理はステップＳ１１へ進む。ステップＳ１１において、図５（ａ）に示した各項目に対する設定作業が行われる。一連の設定作業が終わりユーザが完了ボタン３２ｉを選択したかの判断が行われる（ステップＳ１２）。ここで、完了ボタン３２ｉが操作された場合には処理はステップＳ１３へ進み、そうでなければ完了ボタン３２ｉ以外のキャンセルボタン３２ｊが操作されたとして処理は終了する。
【００１９】
完了ボタン３２ｉが操作されたと判断した場合には、現在設定ウインドウ上に記述された内容を確認し、機能追加登録に必要な項目が揃っているかの判断が行われる（ステップＳ１４）。ここで、未入力項目がある場合には未設定項目エラー表示を行った後に再度、設定作業（ステップＳ１１）に戻り、未入力項目が無い場合には設定ウインドウ上に記述された内容を機能設定情報としてＨＤＤ２９に記憶する（ステップＳ１６）。
【００２０】
図７は、機能設定情報の具体的な内容を示す図である。図７に示すように各機能毎に、前記図５（ａ）で設定された各項目内容が記憶されている。
続いて、機能削除に関する設定処理について図５（ｂ）及び図８を用いて説明する。図５（ｂ）は、機能削除用の設定ウインドウである。項目３２ｋは、削除したい機能に関するプログラムファイル名を指定する部分で、ファイル名を覚えていない場合は参照ボタンを操作して、削除可能なプログラムファイル名一覧を表示して選択することもできる。項目３２ｌは、削除したい機能に関する機能名を指定する部分で、機能名を覚えていない場合は参照ボタンを操作して、削除可能な機能名一覧を表示して選択することもできる。ここで、ユーザは、機能削除する際には、項目３２ｋ又は項目３２ｌのいずれかを指定して機能を特定すれば削除することができる。なお、削除対象となるプログラムファイル名や、機能名は、前記機能設定情報としてＨＤＤ２９に記憶された内容を参照する。
【００２１】
図８は、機能削除処理に関するフローチャートである。補助表示入力装置用の管理プログラムで機能削除が選択されたかを判断する（ステップＳ１７）。ここで、機能削除設定が選択された場合には、処理はステップＳ１８へ進む。ステップＳ１８において、図５（ｂ）に示した各項目に対する設定作業が行われる。続いて、設定作業が終わりユーザが完了ボタン３２ｉを選択したかの判断が行われる（ステップＳ１９）。ここで、完了ボタン３２ｉが操作された場合には処理はステップＳ２０へ進み、そうでなければ完了ボタン３２ｉ以外のキャンセルボタン３２ｊが操作されたとして処理は終了する。ステップＳ２０では、削除対象となった機能に関する設定内容を前記機能設定情報から削除し、情報を更新してＨＤＤ２９へ記憶をし直す。
【００２２】
上述した第１の実施形態においては、設定ウインドウを表示して個別に項目を指定する場合について説明したが、以下に他の設定方法を第２の実施形態として説明する。図９は、他の方法による機能設定方法について説明した図である。情報処理装置１０のメイン表示装置である液晶パネル１５には、ＯＳで管理された各種アイコン３３が表示画面１５ａ上に表示されている。一方、補助表示入力装置の管理用プログラムを起動させることで、表示画面１５ａ上に機能設定用画面３４が表示される。
【００２３】
ここでは、登録したい機能を、表示画面１５ａ上に表示配置されたアイコンから選択指示し、この状態からドラッグしながら機能設定用画面３４まで持って行き、タッチパネルエリア３４ｃ上のユーザが配置したい位置でドロップすることで、機能を追加することができる。図９では、表示装置１５ａ上のアイコン３３ａをドラッグして、タッチパネルエリア３４ｃ上でドロップしてアイコン３４ａとして設定された状態である。この処理の場合、表示画面１５ａ上に配置されたアイコンに対する、機能実行ファイル名、機能名、アイコンファイル名は、ＨＤＤ２９のＯＳ設定情報を参照し、この内容を機能設定情報として記憶する。更に、アイコン配置に関する情報はタッチパネルエリア３４ｃ上のアイコン配置に基づいた情報を機能設定情報とする。
【００２４】
一方、削除設定を行う場合は、タッチパネルエリア３４ｃに配置されたアイコンをドラッグして、機能設定画面３４の外でドロップすることで、該操作対象アイコンに基づく機能を前記機能設定情報から削除することで実現することが可能である。
【００２５】
上記第１及び第２の実施形態で説明したように補助表示入力装置で用いる機能をユーザが自由に追加・削除できるようにしたので、従来に比べユーザの操作性が向上するようになる。
【００２６】
次に、第３の実施形態について説明する。本実施形態では、アプリケーションプログラム等の実行する際に割り込みが発生して特定のウイザード画面（操作ガイド画面）がメインの表示装置である液晶パネル１５に表示されるが、この際、液晶パネル１５に表示される操作ボタンを補助表示入力装置１４の液晶パネル１４ａにも表示させることで、いちいちメイン表示装置上の操作ボタン位置までのポインティング操作を行わずに、ダイレクトに補助表示入力装置１４上の操作ボタンを操作することができるので、操作がより簡便になる。以下に、具体的な内容について説明する。
【００２７】
図１０は、ウイザード画面上の操作ボタンに関連した内容を説明するための図である。図１０（ａ）は、情報処理装置１０のメインの表示装置である液晶パネル１５に表示されたアプリケーションプログラムに関連したウイザード画面３５である。この画面の例は、特定のアプリケーションプログラムを初期導入する際のセットアッププログラムを起動した際に表示されるインストール手順を示すウイザード画面３５である。このウイザード画面３５には、ユーザ操作可能なボタン３５ａ乃至３５ｃが配置されている。
【００２８】
一方、図１０（ｂ）は、補助表示入力装置１４の液晶パネル１４ａに表示された内容を示すもので、前記ウイザード画面３５上に配置されたものと同じ機能を持つ操作ボタン３６ａ乃至３６ｃが配置されている。
【００２９】
図１１は、補助表示入力装置を用いた操作を説明するためのフローチャートである。特定のアプリケーションプログラムが実行している場合に、予め定義した補助表示入力装置向けの表示割り込みが生じたかを判断する（ステップＳ３０）。ここで割り込みが生じたと判断した場合には、処理はステップＳ３１へ進む。ステップＳ３１では、割り込み内容を特定し、その内容に応じた実行内容に関する情報をアクション実行情報に基づいて読み出す。図１２は、アクション実行情報としてＨＤＤ２９の記憶領域３０に記憶された内容を示すものである。続いて、読み出された実行内容に関する情報に基づき、補助表示入力装置１４の液晶パネル１４ａの表示内容及びタッチパネルの検出設定を切り替える（ステップＳ３２）。ウイザード画面に基づく操作ボタンの処理が終わたかを割り込み終了したか否かにより判断する（ステップＳ３３）。割り込み処理が続いている場合には、処理は初めに戻り、割り込み終了した際には再びメインのアプリケーションプログラムの処理に戻る。
【００３０】
上記実施形態では、ユーザが操作し易いように操作ボタンのみを補助表示入力装置１４の液晶パネル１４ａに表示させるようにしたが、これに限るものではなく、ウイザード画面の内容をそのまま液晶パネル１４ａに表示させたりしても良い。
【００３１】
このように第３の実施形態によれば、メインの表示装置の操作ボタンの操作を、手元にある補助表示入力装置を用いて操作することができるので、いちいちカーソル移動をしなくてもダイレクトにウイザード画面のボタン操作を行うことが可能である。
【００３２】
上記説明では、補助表示入力装置をノートＰＣに組み込んだ場合を例に取って説明したが、これに限るものではなく例えば補助表示入力装置を別筐体にしてパーソナルコンピュータ等の情報処理装置にケーブル接続して用いた場合であってもよい。
【００３３】
【発明の効果】
本発明によれば、補助表示入力装置で用いる機能の追加及び削除の設定が自由に行えるのでユーザの操作性が向上すると共に、アプリケーションプログラムの操作ガイド画面に対応した操作を補助表示入力装置を用いて操作できるのでユーザの利便性が益々向上する。
【図面の簡単な説明】
【図１】情報処理装置の一例としてノート型パーソナルコンピュータの外観構成を示す図。
【図２】情報処理装置１０のシステム構成を示す図。
【図３】補助表示入力装置１４の概観構成を示す図。
【図４】補助表示入力装置１４を用いた各種機能を実行する際の操作手順の概略を説明するための図。
【図５】機能追加・削除用の設定ウインドウを示す図
【図６】機能追加設定処理に関するフローチャート。
【図７】機能設定情報の具体的な内容を示す図。
【図８】機能削除処理に関するフローチャート。
【図９】機能設定方法について説明した図。
【図１０】ウイザード画面上の操作ボタンに関連した内容を説明するための図。
【図１１】、補助表示入力装置を用いた操作を説明するためのフローチャート。
【図１２】アクション実行情報としてＨＤＤ２９の記憶領域３０に記憶された内容を示す図。
【符号の説明】
１０　情報処理装置
１１　本体
１２　表示装置
１３　キーボード
１４　補助表示入力装置
１４ａ　液晶パネル
１４ｂ　タッチパネル
１５　液晶パネル
２２　ＣＰＵ
２３　ＢＩＯＳ　ＲＯＭ
２４　メインメモリ
２５　ディスプレイコントローラ
２６　キーボードコントローラ
２７ａ　ディスプレイコントローラ
２７ｂ　タッチパネルコントローラ
２８　ハードディスクコントローラ
２９　ＨＤＤ
【図１】
2004070379.tif 000003
【図２】
2004070379.tif 000004
【図３】
2004070379.tif 000005
【図４】
2004070379.tif 000006
【図５】
2004070379.tif 000007
【図６】
2004070379.tif 000008
【図７】
2004070379.tif 000009
【図８】
2004070379.tif 000010
【図９】
2004070379.tif 000011
【図１０】
2004070379.tif 000012
【図１１】
2004070379.tif 000013
【図１２】
2004070379.tif 000014